(57)【要約】【課題】長期間放射性廃棄物を保管している間に、外部仕切設備２０（例えば、隔離層や防水層で形成されている）の表面から放射性物質が溶出するのを遅延させる吸着層３０を、短時間で構築可能な放射性廃棄物保管施設１を提供する。【解決手段】微細に粉末化したモンモリロナイトを水に分散させたモンモリロナイト溶液を、外部仕切設備２０（例えば、隔離層や防水層で形成されている）の表面に、散布又は塗布して、放射性廃棄物１００から溶出する放射性物質を吸着する吸着層３０を形成することを特徴とする放射性廃棄物保管施設１。【選択図】図１
2016053561.tif 000002
【特許請求の範囲】
【請求項１】
微細に粉末化したモンモリロナイトを水に分散させたモンモリロナイト溶液を、放射性廃棄物を保管する外部仕切設備の表面に、散布又は塗布して形成され、放射性廃棄物から溶出する放射性物質を吸着する吸着層を有することを特徴とする放射性廃棄物保管施設。
【請求項２】
吸着層は、外部仕切設備にひび割れが生じたときに水分を吸収して膨潤し、ひび割れを目止めして止水し、放射性物質が外部に流出するのを妨げることを特徴とする請求項１に記載の放射性廃棄物保管施設。
【発明の詳細な説明】
【技術分野】
【０００１】  本発明は、放射性廃棄物の仮置き場、中間貯蔵施設、最終処分施設などの放射性廃棄物保管施設に関するものである。
【背景技術】
【０００２】  従来、原子力発電関連施設等から排出される低レベル放射性物質廃棄物の処分には、コンクリートなどの人工バリアピット中に廃棄物を保管し、浅地中に埋設される方法が採用されている。
また、原子力発電所の事故により放射性物質を含む土壌や廃棄物が大量に発生すると、最終処分を行うまでの間、安全に集中的に管理・保管するために、中間貯蔵施設で保管することが行われる。非特許文献１に開示されるような、隔離層の中に放射性廃棄物を格納して、雨水侵入しても接触・溶出を抑制し、またもし溶出しても底面に敷設された土壌層によって吸着することにより環境への放射能の漏洩を防ぐよう安全に管理するようになっている。
【先行技術文献】
【０００３】
【非特許文献】
【非特許文献】  環境省  環廃対発第１１０８３１００１号  環廃産発第１１０８３１００１号  平成２３年８月３１日  ８，０００Ｂｑ／Ｋｇを超え、１０，０００Ｂｑ／Ｋｇ以下の焼却灰等の処分に関する方針について
【発明の概要】
【発明が解決しようとする課題】
【０００４】  従来、外部仕切設備において、隔離層はコンクリート製や現地土にセメントを混錬したソイルセメントであり、防水層は遮水シートを使用していた。【０００５】  放射性廃棄物の中間貯蔵や最終処分においては、３０年を超える長期間の保管となるため、外部仕切設備において、雨水や地下水が隔離層内部に侵入することや、隔離層にひび割れが生じて保管されている放射性廃棄物から放射性物質が外部に溶出する場合も想定される。【０００６】  ところで、外部仕切設備の底面には土壌層を設けることにより、万が一放射性物質が溶出した場合でも土壌層が吸着して放射性物質の透過を遅延させるようになっている。【０００７】  しかし、底面に土壌層を敷設する場合は運搬した土壌を重機等で転圧して節することが可能だが、底面以外の側面に止水性や吸着性の高い土壌層を敷設することは困難である。【０００８】  本発明の目的は、長期間放射性廃棄物を保管している間に、外部仕切設備の表面から放射性物質が溶出するのを遅延させる吸着層を短時間で構築可能な放射性廃棄物保管施設を提供する。
【課題を解決するための手段】
【０００９】（１）微細に粉末化したモンモリロナイトを水に分散させたモンモリロナイト溶液を、放射性廃棄物を保管する外部仕切設備の表面に、散布又は塗布して形成され、放射性廃棄物から溶出する放射性物質を吸着する吸着層を有することを特徴とする放射性廃棄物保管施設。【００１０】（２）吸着層は、外部仕切設備にひび割れが生じたときに水分を吸収して膨潤し、ひび割れを目止めして止水し、放射性物質が外部に流出するのを妨げることを特徴とする（１）に記載の放射性廃棄物保管施設。【００１１】  外部仕切設備の少なくとも一部は、コンクリート構造物、ソイルセメント、遮水シート、アスファルト舗装、土壌の中から選ばれた少なくとも一つの構成である（１）又は（２）に記載の放射性廃棄物保管施設。
【発明の効果】
【００１２】  本発明によれば、長期間放射性廃棄物を保管している間に、外部仕切設備の表面から放射性物質が溶出するのを遅延させる放射性廃棄物保管施設を短時間で構築できる。【００１３】  また、本発明によると放射性廃棄物を保管する外部仕切設備の内部表面を微細な粉末のモンモリロナイトを水に分散させたモンモリロナイト溶液を散布もしくは塗布することで、均一で厚さが薄い吸着層を構築することが可能になる。このことにより経済的で、かつ短時間で放射性物質の溶出を遅延させる吸着層を有する放射性廃棄物保管施設を設置することが可能になる。【００１４】  また従来の土壌層を敷設するようにブルドーザーなどの重機や転圧機を必要とすることなく、特殊な技術や資格が不要となるため、原子力発電所の事故によって飛散した放射性物質が大量に発生した場合に迅速な処理が求められる時、作業員が不足することを回避することが可能になる。【００１５】  また、粉末化したモンモリロナイトを散布する場合、噴霧器などを使用して散布することにより、高所などの手の届きにくい箇所へも均一に散布または塗布することが容易にできる。
【図面の簡単な説明】
【図１】本発明の実施形態に係る放射性廃棄物保管施設を説明する図である。
【図２】本発明の実施形態に係る放射性廃棄物保管施設を説明する図である。
【発明を実施するための形態】
【００１６】  放射性廃棄物保管施設１は、微細に粉末化したモンモリロナイトを水に分散させたモンモリロナイト溶液を土壌層１０の上に構築される外部仕切設備２０（例えば、隔離層や防水層で形成されている）の表面に散布又は塗布して、放射性廃棄物１００から溶出する放射性物質を吸着する吸着層３０を有する。
【００１７】  吸着層３０は、外部仕切設備２０にひび割れ２１が生じたときに水分を吸収して膨潤し、ひび割れ２１を目止めして止水し、放射性廃棄物１００から放射性物質が外部に流出するのを妨げる。
【００１８】  本発明の実施形態は、微細な粉末に加工されたモンモリロナイトを水に分散させたモンモリロナイト溶液を外部仕切設備表面に散布し、それを散布することにより放射性物質の吸着層３０を形成する方法を構成した。
【００１９】  本実施形態で用いるモンモリロナイトはイオン交換による放射性物質のイオン吸着力がある。このモンモリロナイトを非常に微細な粉末状にすることで表面積が増加し、吸着力が大きくなり、より吸着力が増大する。また、微細な粉末に加工されたことで水に分散され、均一な吸着層３０を形成することができ、なお一層効果を上げることができる。
【実施例】
【００２０】  次に本実施形態の吸着層の放射性物質の吸着効果を確認するための実施例を説明する。本実施例は独立行政法人産業技術総合研究所で行った。塩化セシウム溶液に微細に粉末化したモンモリロナイトを添加しセシウムに対する吸着農を測定した。微細に粉末化したモンモリロナイトは平均粒径が１．５μｍとし、希釈率を重量比で５％の溶液を用いた。【００２１】実施方法
（１）塩化セシウム溶液として、超純水に塩化セシウムを添加し、１００μｍｏｌの濃度に調整した。（コントロール液）
（２）試料水として、微細に粉末化したモンモリロナイト１０ｇに上記の塩化セシウム溶液を１９０ｍｌ加えて物を調整した。
（３）上記の試料水を振とうさせ続けたものから、２４時間後、４８時間後にそれぞれ５０ｍｌずつ採取した。
（４）３０００回転で１０分間遠心分離し、その上澄液２９．７ｍｌをチューブにとり、反応を固定させるために０．３ｍｌの硝酸溶液（１ｍｏｌ／Ｌ）を加えた。【００２２】  実施結果は次の通りである。
【表１】
2016053561.tif 000003
【表２】
2016053561.tif 000004
【００２３】  表１および２より、本発明の微細な粉末化したモンモリロナイトを使用した場合の放射性物質の吸着性が高いことがわかる。
【産業上の利用可能性】
【００２４】  東京電力福島第一原子力発電所の事故により、大量に放出された放射性物質が降り積もって汚染されたものの除染作業において発生した放射性廃棄物の保管方法において、本発明を適用することができる。大量の放射性廃棄物を迅速に保管処理しなければならない状況で、従来の保管施設を構築する方法に比較して、微細に粉末化したモンモリロナイトが分散された溶液を用いることにより、より短時間で放射性物質の溶出を低下させ経済的にかつ容易に構築することができる。特殊機材や資格を必要としないので、本発明は直ちに実施可能な技術である。
【符号の説明】
【００２５】    １  放射性廃棄物保管施設
１０  土壌層
２０  外部仕切設備
２１  ひび割れ
３０  吸着層
１００  放射性廃棄物
【図１】
2016053561.tif 000005
【図２】
2016053561.tif 000006